(57)【要約】【課題】停電状態を確実に検出し、入力電圧が復帰した際にセンサ回路が正常に運転することを可能にした新規の省電力回路を提供する。【解決手段】交流電源６の一極にスイッチング素子２の一端を接続し、このスイッチング素子２の他端に負荷２２を接続し、交流電源６の一極に第一のコンデンサ１を介して整流ブリッジ７の一方の交流端子を接続した省電力回路であって、整流ブリッジ７の直流端子に電圧検出回路２１を接続し、この電圧検出回路２１の出力をセンサ回路１１に接続し、このセンサ回路１１に電力供給能力のモードを切り替える内部コントロールスイッチ５Ｂと、負荷２２への電力供給の切り替えをする外部コントロールスイッチ４Ｂとを備え、内部コントロールスイッチ５Ｂが外部コントロールスイッチ４Ｂより先にオンするように構成したことを特徴とする省電力回路。【選択図】図１
2004336855.tif 000002
【特許請求の範囲】
【請求項１】
交流電源の一極に第一のコンデンサの一端を接続し、同じく交流電源の一極にスイッチング素子の一端を接続し、このスイッチング素子の他端に負荷を接続し、この負荷は前記交流電源の他極に接続してあり、前記第一のコンデンサの他端に整流ブリッジの一方の交流端子を接続し、この整流ブリッジの直流端子にセンサを備えたセンサ回路を接続した省電力回路であって、前記整流ブリッジの直流端子に入力コンデンサを接続し、この入力コンデンサと並列に電圧検出回路を接続し、この電圧検出回路の出力をセンサ回路に接続し、このセンサ回路に電力供給能力のモードを切り替える内部コントロールスイッチと、前記負荷への電力供給の切り替えをする外部コントロールスイッチとを備え、前記内部コントロールスイッチが前記外部コントロールスイッチより先にオンするように構成したことを特徴とする省電力回路。
【請求項２】
前記センサ回路にコンパレータを備え、このコンパレータの検出端子に電圧検出回路の出力を接続し、このコンパレータの出力端子に前記内部コントロールスイッチと前記外部コントロールスイッチを直列に接続し、前記内部コントロールスイッチが前記外部コントロールスイッチより先にオンするように構成したことを特徴とする請求項１記載の省電力回路。
【請求項３】
前記交流電源の一極に前記外部コントロールスイッチに反映する交流側外部コントロールスイッチを接続し、この外部コントロールスイッチの他端を前記スイッチング素子のゲート端子に接続し、前記第一のコンデンサと並列に、前記内部コントロールスイッチに反映する交流側内部コントロールスイッチと第二のコンデンサとの直列回路とを接続し、これらを前記整流ブリッジの一方の交流端子に接続してあることを特徴とする請求項１又は２記載の省電力回路。
【請求項４】
前記外部コントロールスイッチに並列に、前記内部コントロールスイッチが前記外部コントロールスイッチより先にオンするよう、前記外部コントロールスイッチのオンを遅らせる遅延回路を接続してあることを特徴とする請求項１乃至３のいずれかに記載の省電力回路。
【請求項５】
前記遅延回路にコンデンサを備えてあることを特徴とする請求項４記載の省電力回路。
【請求項６】
前記遅延回路はコンデンサと抵抗とをそれぞれ並列に接続して構成してあることを特徴とする請求項４記載の省電力回路。
【請求項７】
前記電圧検出回路の出力を、前記コンパレータの入力に接続し、このコンパレータの出力を、前記内部コントロールスイッチと外部コントロールスイッチのオンとオフとを操作するフォトカプラに接続してあることを特徴とする請求項１乃至６のいずれかに記載の省電力回路。
【発明の詳細な説明】
【０００１】
【発明の属する技術分野】
本発明は、電子機器の待機電力を低減する省電力回路に関するものである。
【０００２】
【従来の技術】
従来の省電力回路を図２に示す。この省電力回路は、交流電源１０６の一極に第一のコンデンサ１０１の一端を接続し、同じく交流電源１０６の一極に第一のスイッチング素子１０２の一端を接続してある。この第一のスイッチング素子１０２の他端に第二のコンデンサ１０３の一端を接続して、前記第一のコンデンサ１０１と、前記第一のスイッチング素子１０２と前記第二のコンデンサ１０３との直列回路とを並列に接続し、前記第一のコンデンサ１０１及び第二のコンデンサ１０３の他端に整流ブリッジ１０７の一方の交流端子を接続してある。
【０００３】
交流電源１０６の一極に第二のスイッチング素子１０４を接続し、この第二のスイッチング素子１０４に負荷１２２を接続し、この負荷１２２を前記交流電源１０６の他極及び前記整流ブリッジ１０７の他方の交流端子に接続していた。整流ブリッジ１０７の直流端子にセンサ回路１１１を接続してある。
【０００４】
このセンサ回路１１１は、外部からの赤外線信号を受けるフォトダイオードを備えた信号発生器１１２と、この信号発生器１１２からの交流電気信号１１３を処理して直流信号１１５を出力する信号処理部１１４とを有するオンオフ制御部を備えてある。また、センサ回路１１１は、上記信号処理部１１４からの直流信号１１５を受けてオン作動する一対のスイッチング素子１１６，１１７と、一方のスイッチング素子１１６のオン作動時に発光して電源回路に設けられた第一のスイッチング素子１０２をオンにする発光ダイオード１０２ａと、他方のスイッチング素子１１７のオン作動により負荷１２２への交流電源供給回路を閉路するスイッチング素子１０４とを有するオンオフ作動部を備えてある（特許文献１参照。）。
【０００５】
【特許文献１】
国際公開第００／１４８５０号パンフレット（第４−６頁、第１図）
【０００６】
【発明が解決しようとする課題】
従来の省電力回路は、上記のように電圧検出回路を備えていなかった。そのため、センサ回路１１が動作中に、例えば、入力コンデンサの容量が４７μＦの場合、入力瞬断が約１０〜８００ｍｓの範囲で瞬停が発生すると、電源電圧が５Ｖから２Ｖまで低下するが、センサ回路１１の出力部はオフせずに、出力電流を流し続けるため、入力電圧が復帰しても電源電圧が５Ｖに立ち上がることが出来ず、正常状態にはならなかった。
【０００７】
本発明は、上記問題に鑑みてなされたものであり、停電状態を確実に検出し、入力電圧が復帰した際にセンサ回路が正常に運転することを可能にした新規の省電力回路を提供する。
【０００８】
【課題を解決しようとする手段】
上記目的を達成するためになされた本発明は、内部コントロールスイッチが外部コントロールスイッチより先にオンするように構成したことにより、センサ回路の電力が確保され、センサ回路が正常に運転することができる。
【０００９】
【発明の実施の形態】
以下、添付図面を用いて本発明省電力回路に係る実施例を説明する。図１は本発明に係る省電力回路の一実施例を示す。１，３，９，１３はコンデンサ、２はスイッチング素子、４は外部コントロールスイッチ、５は内部コントロールスイッチ、６は交流電源、７は整流ブリッジ、８はツェナーダイオード、１１はセンサ回路、１２はコンパレータ、１４は抵抗、１８はセンサ、２１は電圧検出回路、２２は負荷である。
【００１０】
本実施例に係る省電力回路は、交流電源６の一極に第一のコンデンサ１の一端を接続し、同じく交流電源６の一極にスイッチング素子２の一端を接続してある。このスイッチング素子２は双方向でオン・オフできるように構成してあるとともに、ゲート端子を備えてある。このスイッチング素子２の他端に負荷２２を接続し、この負荷２２は交流電源６の他極に接続してある。
【００１１】
交流電源６の一極に外部コントロールスイッチ４Ａを接続してある。この外部コントロールスイッチ４Ａはフォトカプラで構成し、この外部コントロールスイッチ４Ａの他端をスイッチング素子２のゲート端子に接続してある。また、スイッチング素子２のゲート端子と外部コントロールスイッチ４Ａとの間には外部コントロールスイッチ４Ａの制限抵抗１５を接続してある。スイッチング素子２のゲート端子と制限抵抗１５との間にはコンデンサ１６と抵抗１７とを並列に接続した回路を接続してあり、スイッチング素子２のゲートのノイズを除去できるようにしてある。
【００１２】
第一のコンデンサ１と並列に、内部コントロールスイッチ５Ａと第二のコンデンサ３との直列回路とを接続してあり、これらを整流ブリッジ７の一方の交流端子に接続してある。内部コントロールスイッチ５Ａもフォトカプラで構成してある。また、この省電力回路の交流側には、スイッチング素子２のノイズを除去するコンデンサ１９と、バリスタ２０とチョーク３０とを備えてある。また、整流ブリッジ７の他方の交流端子を交流電源６の他極に接続してある。
【００１３】
一方、直流側においては、整流ブリッジ７の直流端子間にツェナーダイオード８を接続し、このツェナーダイオード８と並列に入力コンデンサ９を接続してある。入力コンデンサ９と並列に電圧検出回路２１を接続してある。この電圧検出回路２１の出力をセンサ回路１１に接続してあり、このセンサ回路１１にはセンサ１８を備えてある。この電圧検出回路２１は、入力コンデンサ９の電圧が一定値以下になった場合に、電圧検出回路２１の電圧がローになって、センサ１８の出力信号を一定期間オフできるように構成してある。
【００１４】
続いてセンサ回路１１について説明する。このセンサ回路１１の入力部にコンパレータ１２を設けてある。このコンパレータ１２の検出側の入力を電圧検出回路２１の出力に接続してある。電圧検出回路２１とコンパレータ１２との間には抵抗２６，２７が直列に接続された回路を接続してあり、基準電圧のレベルを調整する。
【００１５】
コンパレータ１２の検出側の入力をセンサ１８に接続してある。センサ１８には抵抗２３を接続してあり、センサ１８の分圧して、センサ１８で出力される電圧信号をコンパレータ１２のレベルに合わせることができるようにしてある。また、コンパレータ１２とセンサ１８との間には抵抗２４を接続してあるとともに、前記抵抗２３と並列にコンデンサ２５を接続してあり、抵抗２４とコンデンサ２５とを用いてセンサ１８の時定数をとるようにしてある。
【００１６】
コンパレータ１２の出力には抵抗２９を介してフォトカプラで構成した内部コントロールスイッチ５Ｂを接続してある。この内部コントロールスイッチ５Ｂは交流側に設けた内部コントロールスイッチ５Ａに反映する。また、内部コントロールスイッチ５Ｂに直列にフォトカプラで構成した外部コントロールスイッチ４Ｂを接続してある。この外部コントロールスイッチ４Ｂと並列に遅延回路３１を接続してある。この遅延回路３１はコンデンサ１３と抵抗１４をそれぞれ並列に接続してある。特に遅延回路３１にコンデンサ１３を設けることにより、外部コントロールスイッチ４Ｂが外部コントロールスイッチ５Ｂに対して、タイムラグを持って、オンするようにしてある。
【００１７】
以上のように構成してある省電力回路は以下のような作用をする。交流電源６の各極と第一のコンデンサ１の対応する極板との間を電荷が移動して交流電流が生じる。この交流電流は交流電源６と第一のコンデンサ１との間を流れる際に整流ブリッジ７によって整流される。この整流作用により、ツェナーダイオード８のツェナー電圧に対応した量の電荷が入力コンデンサ９に充電され、センサ回路１１のための直流電源１０として機能する。
【００１８】
センサ１８の受光が設定値以下になると、抵抗２４の電圧値が下がる。この検出電圧信号をコンパレータ１２の検出側の入力で受け、このコンパレータ１２の出力で信号がハイになる。さらに、このコンパレータ１２の出力信号は抵抗２９を介して内部コントロールスイッチ５Ｂに入力し、内部コントロールスイッチ５Ｂはオンする。これに対して交流側に設けた内部コントロールスイッチ５Ａもオンする。これにより、交流電源６の各極と第一のコンデンサ１の対応する極板及び第二のコンデンサ３との間を電荷が移動して交流電流が交流電源６から流れ、この交流電流も整流ブリッジ７へ供給される。このため直流電源１０の電流出力能力が補強される。例えば、第一のコンデンサ１と第二のコンデンサ３の容量が同じならば、直流電源１０の電流出力能力は通常の場合の２倍になる。
【００１９】
内部コントロールスイッチ５Ｂがオンすれば、外部コントロールスイッチ４Ｂもオンするが、本実施例では、この外部コントロールスイッチ４Ｂにコンデンサ１３及び抵抗１４をそれぞれ並列に接続してある。そのため、内部コントロールスイッチ５Ｂがオンした際には、コンデンサ１３に電流が流れる。その結果、内部コントロールスイッチ５Ｂがオンしても、コンデンサ１３に電荷が蓄えられなければ、直ちに、外部コントロールスイッチ４Ｂはオンをしない。コンデンサ１３に電荷が十分蓄えられると、そのとき外部コントロールスイッチ４Ｂはオンする。
【００２０】
外部コントロールスイッチ４Ｂがオンすると、これに反映して交流側に設けた外部コントロールスイッチ４Ａもオンする。これにより、スイッチング素子２もオンし、スイッチング素子２にも交流電流が生じる。スイッチング素子２は負荷２２に接続してあるため、スイッチング素子２がオンになると、交流電源６の交流電圧が負荷２２に供給され、負荷２２は動作状態になる。この負荷２２は受光素子を備え、センサ回路１１のセンサ１８から受光素子がオンコマンドを受光したときに、待機状態から動作状態に移行する。
【００２１】
一方、センサ１８の受光が設定値以上になると抵抗２４の電圧値が上がる。この検出電圧信号をコンパレータ１２の検出側の入力で受け、このコンパレータ１２の出力で信号がローになる。さらに、このコンパレータ１２の出力信号は抵抗２９を介して内部コントロールスイッチ５Ｂに入力し、内部コントロールスイッチ５Ｂはオフする。これに対して交流側に設けた内部コントロールスイッチ５Ａもオフする。これにより、交流電源６の各極と第一のコンデンサ１の対応する極板との間のみを電荷が移動して交流電流が交流電源６から流れ、この交流電流も整流ブリッジ７へ供給される。このため直流電源１０の電流出力能力が通常の状態に戻る。
【００２２】
内部コントロールスイッチ５Ｂがオフすると、外部コントロールスイッチ４Ｂもオフする。外部コントロールスイッチ４Ｂがオフすると、これに反映して交流側に設けた外部コントロールスイッチ４Ａもオフする。これにより、スイッチング素子２もオフし、省電力回路は待機モードに戻る。
【００２３】
スイッチング素子２がオフ状態になると、負荷２２に交流電流が供給されず、第一のコンデンサ１は電力を消費しないので、省電力回路の待機モードでの消費電力はツェナーダイオード８及びセンサ回路１１での消費分のみとなる。
【００２４】
【発明の効果】
本発明によれば、内部コントロールスイッチが外部コントロールスイッチより先にオンするように構成したことにより、センサ回路の電力が確保され、センサ回路が正常に運転することができる効果がある。
【図面の簡単な説明】
【図１】本発明に係る一実施例の回路図である。
【図２】従来例の回路図である。
【符号の説明】
１  第一のコンデンサ
２  スイッチング素子
３  第二のコンデンサ
４Ａ，４Ｂ  外部コントロールスイッチ
５Ａ，５Ｂ  内部コントロールスイッチ
６  交流電源
７  整流ブリッジ
８  ツェナーダイオード
９  入力コンデンサ
１０  直流電源
１１  センサ回路
１２  コンパレータ
１３  コンデンサ
１４  抵抗
１８  センサ
２１  電圧検出回路
２２  負荷
３１  遅延回路
【図１】
2004336855.tif 000003
【図２】
2004336855.tif 000004